(57)【要約】【課題】袋体への内容物の封入動作により、対象者を楽しませる。【解決手段】空気を供給するブロア２と、ポップコーンＰが内包されており、外部からポップコーンＰが視認可能なように一部又は全部の壁面が光透過性部材にて円柱形状に成形されている本体部４１、本体部４１の円筒形状の側面の凹み部４１ｊに設けられ、ブロア２により空気が供給される吸気口４２、本体部４１の側面部に設けられ、本体部４１からポップコーンＰを同伴した空気を排出する排出口４３を有する内容物貯留部４とを備える。【選択図】      図１
2014137760.tif 000002
【特許請求の範囲】
【請求項１】
空気を供給する空気供給手段と、
内容物を内包し、前記空気供給手段により空気が供給される吸気口、及び前記供給された空気に同伴させて前記内容物を排出する排出口が設けられた内容物貯留手段と、
を備えたことを特徴とする給仕装置。
【請求項２】
前記内容物貯留手段は、
前記空気供給手段により供給された空気が、内包された内容物を同伴して内部壁面に沿って流動するように、前記吸気口及び前記排出口が設けられた
ことを特徴とする請求項１記載の給仕装置。
【請求項３】
前記内容物貯留手段は、
外部から前記内容物が視認可能なように、一部又は全部の壁面が光透過性部材にて成形されている
ことを特徴とする請求項１又は２記載の給仕装置。
【請求項４】
前記内容物貯留手段は、
前記内容物の径より小さい複数の孔を有し、前記複数の孔の一部又は全部が覆われるように移動可能に設けられた蓋部と、を有する
ことを特徴とする請求項１〜３のうちいずれか１項記載の給仕装置。
【請求項５】
前記内容物貯留手段は、
円柱形状を有し、円柱形状の側面部に前記吸気口及び前記排出口が設けられた
ことを特徴とする請求項１〜４のうちいずれか１項記載の給仕装置。
【請求項６】
前記内容物貯留手段は、
前記内容物の径より大きい開閉可能な内容物投入口が設けられた
ことを特徴とする請求項１〜５のうちいずれか１項記載の給仕装置。
【請求項７】
前記排出口から排出される前記内容物を同伴した空気を受ける袋体が取り付けられたときに、前記排出口から前記袋体へ排出された前記内容物を同伴した空気のうち、前記内容物を前記袋体内に残留させると共に、前記袋体から空気を排気する空気抜き手段
を更に備えたことを特徴とする請求項１〜６のうちいずれか１項記載の給仕装置。
【請求項８】
前記空気抜き手段は、
前記内容物の径より小さく、前記取り付けられた袋体の内外を連通する複数の孔が設けられており、
前記取り付けられた袋体から前記複数の孔を経由して排気される空気の流れが、前記排出口から前記袋体へ排出される前記内容物を同伴した空気の流れと対向するように前記排出口の外周部に設けられた
ことを特徴とする請求項７に記載の給仕装置。
【発明の詳細な説明】
【技術分野】
【０００１】
本発明は、給仕者の操作により、菓子等の内容物を給仕する給仕装置に関する。
【背景技術】
【０００２】
一般的に、菓子等を購入者に給仕する場合、様々な給仕方法がある。
【０００３】
例えば、特許文献１には、菓子としてポップコーン素材を封入したカップの収納部と、ポップコーン素材を加熱するマイクロ波式調理部と、加熱調理の加えられたカップを搬出する搬出部とを備え、カップの搬出により給仕を行うポップコーン自動販売機が提案されている。
【０００４】
また、特許文献２には、鍋内のコーンが攪拌されながら加熱されて所定時間いられていくと、コーンの性質によりはじけ、はじけたコーンが、鍋本体の上開口を閉ざしていた蓋部材を上方へと枢動させて、鍋本体の外部へと飛び出し、ハウジング本体の下部のポップコーン収容場所へと落下することにより、ホップコーンを貯めるポップコーン製造装置が提案されている。
【０００５】
さらに特許文献３には、加熱部によって加熱されてポップコーンが出来上がると、三つ折りの状態で複数収納されている中から袋を一つ取り出し、袋を展開し、袋本体内にポップコーンを入れ、袋本体の開口部を塞ぐとともに、取手を起立させるポップコーン自動販売機が提案されている。
【先行技術文献】
【特許文献】
【０００６】
【特許文献１】特開２００４−１５７７１０号公報
【特許文献２】特開２００５−２４５８３４号公報
【特許文献３】特開平８−３３５２９１号公報
【発明の概要】
【発明が解決しようとする課題】
【０００７】
しかしながら、特許文献１に記載のポップコーン自動販売機では、ポップコーンは、予めカップに封入されており、ポップコーンをカップに封入するまでに何ら演出がないので、購入者は、ポップコーンを手元に受け取るまで、何ら楽しみがなく、購買意欲が低下するという問題があった。
【０００８】
特許文献２に記載のポップコーン製造装置では、ポップコーンを封入することなく、下部のポップコーン収容場所で貯めるので、購入者にとって、特許文献１に記載のポップコーン自動販売機と同様に、ポップコーンを手元に受け取るまで、何ら楽しみがなく、購買意欲が低下するという問題があった。
【０００９】
特許文献３に記載のポップコーン自動販売機では、ポップコーンの封入動作に工夫はなく、ポップコーン封入動作自体の演出により購入客を楽しませることが困難という問題があった。
【００１０】
本発明は、上記課題に鑑みてなされたものであり、袋体への内容物の封入動作により、対象者を楽しませることができる給仕装置を提供することを目的とする。
【課題を解決するための手段】
【００１１】
上記目的を達成するため、本発明に係る給仕装置の第１の特徴は、空気を供給する空気供給手段と、内容物を内包し、前記空気供給手段により空気が供給される吸気口、及び前記供給された空気に同伴させて前記内容物を排出する排出口が設けられた内容物貯留手段と、を備えたことにある。
【００１２】
上記目的を達成するため、本発明に係る給仕装置の第２の特徴は、前記内容物貯留手段は、前記空気供給手段により供給された空気が、内包された内容物を同伴して内部壁面に沿って流動するように、前記吸気口及び前記排出口が設けられたことにある。
【００１３】
上記目的を達成するため、本発明に係る給仕装置の第３の特徴は、前記内容物貯留手段は、外部から前記内容物が視認可能なように、一部又は全部の壁面が光透過性部材にて成形されていることにある。
【００１４】
上記目的を達成するため、本発明に係る給仕装置の第４の特徴は、前記内容物貯留手段は、前記内容物の径より小さい複数の孔を有し、前記複数の孔の一部又は全部が覆われるように移動可能に設けられた蓋部と、を有することにある。
【００１５】
上記目的を達成するため、本発明に係る給仕装置の第５の特徴は、前記内容物貯留手段は、円柱形状を有し、円柱形状の側面部に前記吸気口及び前記排出口が設けられたことにある。
【００１６】
上記目的を達成するため、本発明に係る給仕装置の第６の特徴は、前記内容物貯留手段は、前記内容物の径より大きい開閉可能な内容物投入口が設けられたことにある。
【００１７】
上記目的を達成するため、本発明に係る給仕装置の第７の特徴は、前記排出口から排出される前記内容物を同伴した空気を受ける袋体が取り付けられたときに、前記排出口から前記袋体へ排出された前記内容物を同伴した空気のうち、前記内容物を前記袋体内に残留させると共に、前記袋体から空気を排気する空気抜き手段を更に備えたことにある。
【００１８】
上記目的を達成するため、本発明に係る給仕装置の第８の特徴は、前記空気抜き手段は、前記内容物の径より小さく、前記取り付けられた袋体の内外を連通する複数の孔が設けられており、前記取り付けられた袋体から前記複数の孔を経由して排気される空気の流れが、前記排出口から前記袋体へ排出される前記内容物を同伴した空気の流れと対向するように前記排出口の外周部に設けられたことにある。
【発明の効果】
【００１９】
本発明に係る給仕装置によれば、袋体への内容物の封入動作により、対象者を楽しませることができる。
【図面の簡単な説明】
【００２０】
【図１】本発明の実施例１であるポップコーン給仕装置の外観を示した図である。
【図２】本発明の実施例１であるポップコーン給仕装置の平面図である。
【図３】本発明の実施例１であるポップコーン給仕装置における空気の流れを説明した図である。（ａ）は、本発明の実施例１であるポップコーン給仕装置の平面図であり、（ｂ）は、本発明の実施例１であるポップコーン給仕装置の斜視図である。
【図４】本発明の実施例１であるポップコーン給仕装置の排出口を排気側から見た図である。
【図５】本発明の実施例１であるポップコーン給仕装置の排出口から排出された空気の流れを説明した図である。
【図６】本発明の実施例２であるポップコーン給仕装置の平面図である。
【図７】本発明の実施例３であるポップコーン給仕装置の排出口から排出された空気の流れを説明した図である。
【発明を実施するための形態】
【００２１】
以下、本発明を実施するための形態について図面を参照して説明する。
【実施例１】
【００２２】
本発明の実施例１では、円柱形状を有する内容物貯留部内で、内容物としてポップコーンを空気に同伴させて、ビニール袋内に排出するポップコーン給仕装置を例に挙げて説明する。
【００２３】
図１は、本発明の実施例１であるポップコーン給仕装置１の外観を示した図である。
【００２４】
図１に示すように、ポップコーン給仕装置１は、ブロア２と、保持ベルト３と、内容物貯留部４と、空気抜き部５とを備えており、空気抜き部５には、ポップコーンＰを封入するためのビニール袋６が装着される。
【００２５】
ブロア２は、外部の空気を取り込み、圧縮した空気を内容物貯留部４内へ供給する。また、ブロア２には、保持ベルト３が取り付けられており、ユーザ（給仕者）が保持ベルト３を肩等に掛けることにより、ポップコーン給仕装置１をしっかりと保持することができる。
【００２６】
内容物貯留部４は、ポップコーンＰが内包されており、外部からポップコーンＰが視認可能なように一部又は全部の壁面が光透過性部材にて円柱形状に成形されている本体部４１と、本体部４１の円筒形状の側面の凹み部４１ｊに設けられ、ブロア２により空気が供給される吸気口４２と、本体部４１の側面部に設けられ、本体部４１からポップコーンＰを同伴した空気を排出する排出口４３とを備えている。
【００２７】
空気抜き部５は、排出口４３から排出されるポップコーンＰを同伴した空気を受けるビニール袋６が取り付けられたときに、排出口４３からビニール袋６へ排出されたポップコーンＰを同伴した空気のうち、ポップコーンＰをビニール袋６内に残留させると共に、ビニール袋６から空気のみを排気する。
【００２８】
図２は、本発明の実施例１であるポップコーン給仕装置１の平面図である。
【００２９】
図２に示すように、ポップコーン給仕装置１の内容物貯留部４の本体部４１の上部には、半円形状の開口部４１ａが設けられている。そして、この開口部４１ａを開閉するように、回転軸４１ｃを中心として、Ｘ１−Ｘ２方向に回動自在に扇形の蓋部４１ｂが設けられている。
【００３０】
開口部４１ａの円弧の外周部には、弾性ゴム４１ｄが取り付けられている。蓋部４１ｂが、Ｘ１−Ｘ２方向に回動され、開口部４１ａを閉止する位置まで移動したとき、即ち、開口部４１ａの直線部４１ｇ１，４１ｇ２のうちの直線部４１ｇ１と、蓋部４１ｂの直線部４１ｆ１，４１ｆ２のうちの直線部４１ｆ１とが重なるとき、開口部４１ａは蓋部４１ｂにより閉止されており、蓋部４１ｂの扇型の円弧の外周部が、弾性ゴム４１ｄに接触することにより、ある程度の気密性を保持することができる。
【００３１】
また、蓋部４１ｂの一部の領域には、ポップコーンＰの径より小さい複数の孔４１ｅを有している。
【００３２】
複数の孔４１ｅは、蓋部４１ｂが、開口部４１ａを閉止する位置にあるとき、本体部４１の上部壁面４１ｈに重なり合うように設けられている。これにより、複数の孔４１ｅは閉止されるので、本体部４１内のある程度の気密性を保持することができる。
【００３３】
一方、蓋部４１ｂが、Ｘ１方向に回動され、開口部４１ａ上に複数の孔４１ｅが位置するように移動されたとき、ブロア２により吸気口４２から本体部４１に供給された空気の一部が複数の孔４１ｅから排気されることになる。これにより、排出口４３から排出されるポップコーンＰを同伴した空気の排出量を抑えることができる。このとき、複数の孔４１ｅは、ポップコーンＰの径より小さいので、複数の孔４１ｅからポップコーンＰを排出せず、空気のみを排気させることができる。
【００３４】
また、蓋部４１ｂのＸ１方向への回動量を調整することにより、複数の孔４１ｅのうち、上部壁面４１ｈに重なり合う数を調整することができるので、排出口４３から排出されるポップコーンＰを同伴した空気の排出量を調整することができる。
【００３５】
さらに、蓋部４１ｂがＸ１方向に回動されると、開口部４１ａが内容物投入口として開放される。そのため、ユーザは、ブロア２が停止しているときに、蓋部４１ｂをＸ１方向に回動し、開口部４１ａを開放することにより、本体部４１内にポップコーンＰを補給することができる。
【００３６】
次に、本発明の実施例１であるポップコーン給仕装置１における空気の流れについて説明する。
【００３７】
図３は、本発明の実施例１であるポップコーン給仕装置１における空気の流れを説明した図である。図３（ａ）は、本発明の実施例１であるポップコーン給仕装置１の平面図であり、図３（ｂ）は、本発明の実施例１であるポップコーン給仕装置１の斜視図である。
【００３８】
図３（ａ）に示すように、ブロア２により空気が供給されることによって、内容物貯留部４内には、内容物貯留部４に内包されたポップコーンＰを同伴して、円筒形状の本体部４１の内部壁面に沿って流動する気流Ｆ１が発生する。
【００３９】
図３（ｂ）に示すように、吸気口４２は、本体部４１の側面の比較的中央部に設けられており、排出口４３は、本体部４１の側面の比較的下部に設けられている。そのため、吸気口４２から供給される空気は、そのまま排出口４３から排出されるのではなく、本体部４１の内部壁面に到達することにより、内部壁面に沿うような気流Ｆ１が発生する。これにより、本体部４１に内包されているポップコーンＰが気流Ｆ１に同伴されるので、外部から本体部４１を見ているポップコーンＰの購入者（対象者）には、ポップコーンＰが気流Ｆ１に乗って浮遊しているように見える。
【００４０】
また、ポップコーンＰは、気流Ｆ１に同伴しながらも、その重力で下方に落下するが、排出口４３は、本体部４１の側面の比較的下部に設けられているので、排出口４３から排出されやすくなっている。
【００４１】
図４は、本発明の実施例１であるポップコーン給仕装置１の排出口４３を排気側から見た図である。
【００４２】
図４に示すように、排出口４３の外周部を囲むように空気抜き部５が設けられており、空気抜き部５には、ポップコーンＰの径より小さく、取り付けられたビニール袋６の内外を連通する複数の孔５ａが設けられている。
【００４３】
さらに、空気抜き部５には、排出口４３から排出されるポップコーンＰを同伴した空気を受けるビニール袋６が、バンド７により取り付けられている。
【００４４】
図５は、本発明の実施例１であるポップコーン給仕装置１の排出口４３から排出された空気の流れを説明した図である。
【００４５】
図５に示すように、内容物貯留部４の本体部４１から排出されるポップコーンＰを同伴する空気により気流Ｆ１が形成され、排出口４３内部を経由してポップコーンＰを同伴した空気が排出される。
【００４６】
そして、排出口４３から排出されたポップコーンＰを同伴する空気は、空気抜き部５に取り付けられたビニール袋６内に排出される。これにより、排出された空気は、ビニール袋６内で気流Ｆ２を形成し、ビニール袋６の排気口となる空気抜き部５から気流Ｆ３を形成して、ビニール袋６の内側から外側へと排気される。
【００４７】
このように、空気抜き部５は、ビニール袋６から排気される気流Ｆ３が、排出口４３からビニール袋６へ排出されるポップコーンＰを同伴した気流Ｆ１と対向するように排出口４３の外周部に設けられているので、排出口４３から排出されたポップコーンＰを同伴する空気は、一旦、ビニール袋６内に排出され後、空気抜き部５から排気される。
【００４８】
また、空気抜き部５に設けられた複数の孔５ａは、ポップコーンＰの径より小さいので、複数の孔５ａからポップコーンＰが排出されることなく、空気のみを排気させることができる。
【００４９】
これにより、空気に同伴されたポップコーンＰだけが、ビニール袋６内に残留し、不要な空気がビニール袋６から空気抜き部５により排気される。
【００５０】
以上のように、本発明の実施例１であるポップコーン給仕装置１によれば、空気を供給するブロア２と、ポップコーンＰを本体部４１に内包し、ブロア２により空気が供給される吸気口４２と、供給された空気に同伴させてポップコーンＰを排出する排出口４３とが設けられた内容物貯留部４とを備えたので、例えば、ユーザは、ブロア２を肩に掛け、ブロア２を操作することにより、ポップコーンＰの購入者の目前で、ビニール袋６内にポップコーンＰを封入し、ポップコーンＰが封入されたビニール袋６を購入者に渡すことができる。これにより、ポップコーンＰを袋に封入している間においても、ビニール袋６へのポップコーンＰの封入動作自体により、ポップコーンＰの購入者を楽しませることができる。
【００５１】
さらに、本発明の実施例１であるポップコーン給仕装置１によれば、本体部４１は、一部又は全部の壁面が光透過性部材にて円柱形状に成形されているので、ポップコーンＰの購入者は、外部から本体部４１内でポップコーンＰが気流Ｆ１に乗って浮遊している状態を見ることができ、よりポップコーンＰの購入者を楽しませることができる。
【００５２】
なお、本発明の実施例１では、内容物としてポップコーンＰを内包するポップコーン給仕装置１を例に挙げて説明したが、内容物はこれに限らず、ブロア２から供給される気流Ｆ１に同伴されるものであれば、飴玉やスナック菓子などでもよい。さらに、菓子に限らず、軽量の景品などでもよい。
【００５３】
このとき、ブロア２の供給する空気の流量を変更することにより、排出口４３から排出される内容物の量を調整してもよいし、上述したように、蓋部４１ｂのＸ１方向への回動量を調整することにより、排出口４３から排出される内容物の量を調整してもよい。
【００５４】
なお、本発明の実施例１では、吸気口４２と排出口４３とが直線上に設けられたポップコーン給仕装置１を例に挙げて説明したが、設けられる位置は、直線上に限らず、排出口４３は、吸気口４２から供給される空気によって形成される気流Ｆ１に沿って設けられていればよい。
【００５５】
また、本発明の実施例１では、本体部４１の円筒形状の側面の凹み部４１ｊに、ブロア２により空気が供給される吸気口４２が設けられたポップコーン給仕装置１を例に挙げて説明したが、この本体部４１の円筒形状の側面の凹み部４１ｊは必ずしも必要ではなく、本体部４１の円筒形状の側面に直接、吸気口４２を設けるようにしてもよい。
【００５６】
さらに、本発明の実施例１では、内容物貯留部４の本体部４１の上部に、半円形状の開口部４１ａと、開口部４１ａを開閉するように回転軸４１ｃを中心として回動自在に設けられた扇形の蓋部４１ｂとを備えたポップコーン給仕装置１を例に挙げて説明したが、これに限らず、開口部４１ａと蓋部４１ｂとは、内容物貯留部４の本体部４１の下部に設けられるようにしてもよい。
【実施例２】
【００５７】
本発明の実施例１では、円柱形状を有する内容物貯留部４内で、ポップコーンＰを空気に同伴させて排出するポップコーン給仕装置１を例に挙げて説明したが、内容物貯留部４の形状は、円柱形状に限らない。
【００５８】
本発明の実施例２では、立方体を有する内容物貯留部内で、ポップコーンＰを空気に同伴させて排出するポップコーン給仕装置１Ａを例に挙げて説明する。
【００５９】
図６は、本発明の実施例２であるポップコーン給仕装置１Ａの平面図である。
【００６０】
図６に示すように、ポップコーン給仕装置１Ａは、ブロア２と、内容物貯留部９と、空気抜き部５とを備えており、空気抜き部５には、ポップコーンＰを封入するためのビニール袋６が装着される。なお、これらの構成のうち、本発明の実施例１であるポップコーン給仕装置１のそれぞれ同一符号が付された構成と同一であるので、説明を省略する。
【００６１】
内容物貯留部９には、ポップコーンＰが内包されており、外部からポップコーンＰが視認可能なように一部又は全部の壁面が光透過性部材にて立方体に成形されている本体部９１と、本体部９１の立方体の側面部に、ブロア２により空気が供給される吸気口４２と、本体部９１の立方体の側面部に、本体部９１からポップコーンＰを同伴した空気を排出する排出口４３とを備えている。
【００６２】
ポップコーン給仕装置１Ａの内容物貯留部９の本体部９１の上部には、本発明の実施例１であるポップコーン給仕装置１の内容物貯留部４と同様に、半円形状の開口部４１ａが設けられており、この開口部４１ａを開閉するように、回転軸４１ｃを中心として、Ｘ１−Ｘ２方向に回動自在に扇形の蓋部４１ｂが設けられている。また、開口部４１ａ半円形状の円弧の外周部には、弾性ゴム４１ｄが取り付けられており、蓋部４１ｂの扇型の円弧の外周部が、弾性ゴム４１ｄに接触することにより、ある程度の気密性を保持することができる。さらに、蓋部４１ｂの一部の領域には、ポップコーンＰの径より小さい複数の孔４１ｅを有しており、複数の孔４１ｅのうち、上部壁面４１ｈに重なり合う数を調整することにより、排出口４３から排出されるポップコーンＰを同伴した空気の排出量を調整することができる。
【００６３】
また、本発明の実施例１であるポップコーン給仕装置１では、吸気口４２と排出口４３とが上方から見たときに、直線上に設けられていたが、本発明の実施例２であるポップコーン給仕装置１Ａでは、吸気口４２と排出口４３との角度が約９０度となるように設けられている。
【００６４】
この場合においても、排出口４３は、吸気口４２から供給される空気によって形成される気流Ｆ１に沿って、即ち、気流Ｆ１を妨げない位置に設けられており、この気流Ｆ１により、排出口４３から、空気に同伴されたポップコーンＰが排出される。
【００６５】
以上のように、本発明の実施例２であるポップコーン給仕装置１Ａによれば、立方体を有する内容物貯留部９を有するので、円筒形状を有する内容物貯留部４に比較して加工し易いという効果がある。
【実施例３】
【００６６】
本発明の実施例１では、ポップコーンＰの径より小さく、取り付けられたビニール袋６の内外を連通する複数の孔が設けられた空気抜き部５を備えたポップコーン給仕装置１を例に挙げて説明したが、これに限らない。
【００６７】
本発明の実施例３では、ビニール袋６内の空気が抜けるようにビニール袋６を係止する固定ピンを備えるポップコーン給仕装置を例に挙げて説明する。
【００６８】
図７は、本発明の実施例３であるポップコーン給仕装置１Ｂの排出口４３から排出された空気の流れを説明した図である。
【００６９】
図７に示すように、排出口４３の外周部には、ビニール袋６の口を取り付ける固定ピン８が設けられている。このとき、ビニール袋６は、排出口４３とビニール袋６の口との間に、空気を抜くための隙間が設けられるように取り付けられる。
【００７０】
内容物貯留部４の本体部４１から排出されるポップコーンＰを同伴する空気により気流Ｆ１が形成され、排出口４３内部を経由してポップコーンＰを同伴する空気が排出される。
【００７１】
そして、排出口４３から排出されたポップコーンＰを同伴する空気は、固定ピン８に取り付けられたビニール袋６内に排出される。これにより、排出された空気は、ビニール袋６内で気流Ｆ２を形成し、ビニール袋６の口から気流Ｆ１に対向する気流Ｆ３を形成して、ビニール袋６の内側から外側へと排気される。
【００７２】
このように、固定ピン８は、ビニール袋６から排気される気流Ｆ３が、排出口４３からビニール袋６へ排出されるポップコーンＰを同伴した気流Ｆ１と対向するように排出口４３の外周部でビニール袋６の口を固定するように設けられているので、排出口４３から排出されたポップコーンＰを同伴する空気は、一旦、ビニール袋６内に排出された後、固定ピン８に係止されたビニール袋６の口から排気される。
【００７３】
なお、このとき、ユーザが、ビニール袋６の口を軽く掴むことにより、ビニール袋６からポップコーンＰが気流Ｆ３に同伴してビニール袋６から飛び出すことを防止することができる。
【００７４】
これにより、空気に同伴されたポップコーンＰだけが、ビニール袋６内に残留し、不要な空気がビニール袋６から排気される。
【００７５】
以上のように、本発明の実施例３であるポップコーン給仕装置１Ｂによれば、ビニール袋６内の空気が抜けるようにビニール袋６を係止する固定ピン８を備えるので、複雑な機械構成を有することなく、簡易的に排出口４３にビニール袋６を装着することができる。
【符号の説明】
【００７６】
１，１Ａ，１Ｂ…ポップコーン給仕装置（給仕装置）
２…ブロア（空気供給手段）
３…保持ベルト
４，９…内容物貯留部
５…空気抜き部
６…ビニール袋
７…バンド
８…固定ピン
４１，９１…本体部
４１ａ…開口部
４１ｂ…蓋部
４１ｃ…回転軸
４１ｄ…弾性ゴム
４１ｅ…孔
４１ｈ…上部壁面
４１ｊ…凹み部
４２…吸気口
４３…排出口
【図１】
2014137760.tif 000003
【図２】
2014137760.tif 000004
【図３】
2014137760.tif 000005
【図４】
2014137760.tif 000006
【図５】
2014137760.tif 000007
【図６】
2014137760.tif 000008
【図７】
2014137760.tif 000009